(57)【要約】【課題】製造における組立てが容易で、一つの製品で速調の固定運転が可能な、設置現場でも間違いなく対応できる給排気による換気を行う換気装置を得る。【解決手段】外気を室内に取入れる給気送風機と、室内の空気を室外へ排気する排気送風機を備え、それぞれ強と弱の速調機能を備えた換気装置について、電源側と給気送風機側及び排気送風機側をそれぞれ中継コネクタ１４，２０，２１で接続し、この中継コネクタ１４，２０，２１間に中継リードコネクタ２２を挿入し、あるいは削除することによって給気送風機及び排気送風機の駆動モータ１８，１９の速調の切換えを可能にする。また、中継リードコネクタ２２の挿入により給気送風機が弱の速調に固定されるようにする。【選択図】          図２
2004257630.tif 000002
【特許請求の範囲】
【請求項１】
外気を室内に取入れる給気送風機と、室内の空気を室外へ排気する排気送風機を備え、それぞれ強と弱の速調機能を備えた換気装置であって、電源側と給気送風機側及び排気送風機側をそれぞれ中継コネクタで接続し、この中継コネクタ間に中継リードコネクタを挿入し、あるいは削除することによって給気送風機及び排気送風機の速調の切換えを可能にした換気装置。
【請求項２】
請求項１に記載の換気装置であって、中継リードコネクタの挿入により給気送風機又は排気送風機が弱の速調に固定される換気装置。
【請求項３】
請求項１又は請求項２のいずれかに記載の換気装置であって、電源側に給気送風機と排気送風機の速調を行う切換えスイッチを備えた換気装置。
【請求項４】
請求項１又は請求項２のいずれかに記載の換気装置であって、中継コネクタと中継リードコネクタのピン数を同じにした換気装置。
【請求項５】
請求項１又は請求項２のいずれかに記載の換気装置であって、中継コネクタと中継リードコネクタのピン数を異なるピン数にした換気装置。
【請求項６】
請求項１〜請求項５までのいずれかに記載の換気装置であって、中継リードコネクタを予め用意しておき、それらを差換えることにより給気送風機及び排気送風機の各々について強弱の速調切換えができるようにした換気装置。
【請求項７】
請求項１〜請求項６までのいずれかに記載の換気装置であって、給気送風機による給気流と排気送風機による排気流間で連続的に熱交換を行う熱交換器を備えた換気装置。
【発明の詳細な説明】
【０００１】
【発明の属する技術分野】
本発明は、外気を室内に取入れる給気送風機と、室内の空気を室外へ排気する排気送風機を備えた給排気による換気を行う換気装置に関するものである。
【０００２】
【従来の技術】
従来の換気装置としては、手動運転スイッチの操作に従って、ファン駆動用モータの運転制御が行われる連動用制御装置を備えたものがある。連動用制御装置は、外部からの連動信号を受信する受信手段と、手動運転スイッチとファン駆動モータとの間に挿入され、受信手段および手動運転スイッチの出力に応答して、連動信号または手動運転スイッチの少なくとも一方が換気装置の運転を指示するとき、ファン駆動用モータが運転するように制御する制御手段を含んでいる（例えば、特許文献１参照）。
【０００３】
【特許文献１】
特開平１１―２９４８１１号公報（第３頁、図１）
【０００４】
【発明が解決しようとする課題】
上記した従来の換気装置においては、制御回路を持つ連動アダプタをコネクタ間に挿入することにより、加熱調理器等の外部機器からの運転信号を受信ユニットで受信することにより、連動信号で強運転または弱運転を選択し、換気装置が連動運転を行うものである。しかしながら、別部品化による連動アダプタでの扱いは高価になるばかりでなく、給排気による換気装置における各風量バランスを採る必要性のある装置には適用することができないといった問題点がある。
【０００５】
本発明は、係る従来の問題点を解決するためになされたものであって、その課題とするところは、製造における組立てが容易で、一つの製品で速調の固定運転が可能な、設置現場でも間違いなく対応できる給排気による換気を行う換気装置を得ることである。
【０００６】
【課題を解決するための手段】
前記課題を達成するために本発明は、外気を室内に取入れる給気送風機と、室内の空気を室外へ排気する排気送風機を備え、それぞれ強と弱の速調機能を備えた換気装置について、その電源側と給気送風機側及び排気送風機側をそれぞれ中継コネクタで接続し、この中継コネクタ間に中継リードコネクタを挿入し、あるいは削除することによって給気送風機及び排気送風機の速調の切換えを可能にする手段を採用する。
【０００７】
【発明の実施の形態】
実施の形態１．
図１は本実施の形態の熱交換換気装置の平面図、図２はその電気的構成を示すブロック構成図である。図１に示すようにこの熱交換換気装置は、空気対空気での熱交換を行う熱交換器１が六面体の箱型に構成された本体ケーシング２内に内蔵され、熱交換を行いながら同時給排気により室内の換気を行うものである。この熱交換換気装置には、経路の一部が熱交換器１の二次通路で構成され、給気送風機３により形成される室外から室内へ向う給気流を通す給気通風路４と、経路の一部が熱交換器１の一次通路で構成され、排気送風機５により形成される室内から室外へ向う排気流を通す排気通風路６とが全経路にわたり独立して画成されている。
【０００８】
熱交換器１は、本体ケーシング２の略中央部に二個が配置され、それぞれ積層型で六面体に構成されている。そして、熱交換を行う層が垂直方向に積層する状態に互いの一稜角部が突合わされるように組込まれ、本体ケーシング２の下面に設けられた点検蓋から垂直方向に抜き差しできるようになっている。これにより各熱交換器１の排気流を通す一次通路と給気流を通す二次通路は内部において斜めに交差する形態となる。
【０００９】
本体ケーシング２の熱交換器１の左右に給気送風機３と排気送風機５がそれぞれ組付けられている。排気送風機５の吸込口は熱交換器１側に向けられ、吹出口は、排気通風路６の出口端である排気吹出口７に臨まされている。排気吹出口７は、本体ケーシング２の周側面の一面に設けられ、ダクト接続可能な接続口部品８が取付けられている。給気送風機３の吸込口は熱交換器１側に向けられ、吹出口は、給気通風路４の出口端である給気吹出口９に臨まされている。給気吹出口９は、排気吹出口７に対向する本体ケーシング２の一側面に設けられ、ダクト接続可能な接続口部品８が取付けられている。
【００１０】
本体ケーシング２の下面の給気送風機３と熱交換器１の間の両側には、排気通風路６の入口端である排気吸込口１０がそれぞれ設けられ、排気吸込口１０から吸込まれた室内の空気は、各熱交換器１の一次通路を経て排気送風機５から排気吹出口７へ吹き出され、ダクト１１を通じて室外へ吹き出される。本体ケーシング２の排気送風機５の臨む一側面と、排気吹出口７に対向する一側面には給気通風路４の入口端である外気吸込口１２がそれぞれ設けられ、これらの外気吸込口１２からダクト１１を通じて吸込まれた室外の空気は、排気送風機５と本体ケーシング２の隙間を通り、各熱交換器１の二次通路に分流し、各熱交換器１を出て合流し、給気送風機３に吸込まれて給気吹出口９からダクト１１を通じて室内へ向って吹き出される（図１参照）。
【００１１】
本体ケーシング２は、天板近くの四隅部に設けられた吊り金具によって天井裏空間等にアンカーボルトで吊り固定される。また、本体ケーシング２の排気吸込口１０のある下面中央部分に対応する天井面には通風可能な化粧パネルが取付けられ、化粧パネルと排気吸込口１０とが通風可能に連絡される。化粧パネルを開放させれば、熱交換器１の着脱ができ、熱交換器１やフィルター等のメンテナンスが可能である。
【００１２】
この熱交換換気装置は、給気送風機３と排気送風機５をそれぞれ強と弱に速調できる調速機能を備えている。即ち、図２に示すように熱交換換気装置本体の外部とのインターフェース部１３には共通、強及び弱の切換え構造があり、インターフェース部１３の強と組合せた各四線のインターフェース部１３側の雄端子の中継コネクタ１４が二個ある。中継コネクタ１４の一方向から共通のＣＯＭと切換えスイッチ１５により弱と接続されるリレー１６のリレー接点１もしくはリレー接点２、切換えスイッチ１５により強と接続されるリレー１６のリレー接点３もしくはリレー接点４、最後は切換えスイッチ１５が入りであれば通電する線と接続されている。切換えスイッチ１５は熱交換換気装置の外部に設けられ、熱交換換気装置側とはインターフェース部１３において接続され、単相の商用電源１７が供給される。
【００１３】
給気送風機３と排気送風機５のそれぞれの駆動モータ１８，１９は、おのおの三本からなる速調を選択できる線を持っている。これらは、共通のＣＯＭ、強のＨ、弱のＬからなり、それぞれ中継コネクタ２０，２１に接続されている。これらの中継コネクタ２０，２１は、４Ｐ（４っの結線が物理的に可能なもの）で構成されている雌端子である。通常における設置形態では、この雌端子である中継コネクタ２０，２１と雄端子である中継コネクタ１４がそれぞれコネクタ接続され、給気送風機３と排気送風機５の調速が切換えスイッチ１５により行われる。
【００１４】
本実施の形態では、中継コネクタ１４，２０、１４，２１間に中継リードコネクタ２２を挿入し、あるいは削除することによって給気送風機３及び排気送風機５の速調の切換えを可能にする構成が採られている。中継リードコネクタ２２は、雌側中継コネクタ２３と雄側中継コネクタ２４とこれを結ぶ二本の電源線から構成されている。具体的には雌側中継コネクタ２３の一番目と中継コネクタ１４の一番目と雄側中継コネクタ２４の一番目、雌側中継コネクタ２３の四番目と雄側中継コネクタ２４の二番目が結線されるものである。
【００１５】
例えば、図２に示すように給気送風機３の駆動モータ１８の中継コネクタ２０と中継リードコネクタ２２の雄側中継コネクタ２４とを接続し、中継リードコネクタ２２の雌側中継コネクタ２３とインターフェース部１３側の中継コネクタ１４の一方とをコネクタ接続する。排気送風機５の駆動モータ１９の中継コネクタ２１はインターフェース部１３の残りの中継コネクタ１４とコネクタ接続する（図２では接続されていない状態である）。これにより、切換えスイッチ１５を入りにし、強弱の切換え操作を行っても、給気送風機３は常に弱での固定運転を行うことになる。排気送風機５については、切換えスイッチ１５の切換えに従って強、弱の運転を行う。
【００１６】
以上の事柄は、給気送風機３に関しても排気送風機５に関しても可能である。即ち、中継リードコネクタ２２を挿入した側の送風機は弱に固定運転され、挿入しない側は切換えスイッチ１５に従い強弱切換え可能な運転を行う。また、状況によっては、弱の固定運転を強の固定運転に置換することもできる。一般に給排気による換気では、室内の空気が急速に汚濁した場合に、排気送風機５を強で運転し、速やかに汚濁した空気を排気する必要があり、給気送風機３を弱に固定運転する方が利便性が高く機能的である。
【００１７】
この中継リードコネクタ２２を用いた速調方式は、熱交換器１を持たない通常の給排気換気装置にも有効であるが、圧力損失の大きい熱交換換気装置では速調に関するバリエーションが要求されることからより有効性が高い。このように、本実施の形態の熱交換換気装置にあっては、一つの製品仕様において速調の運転モードが多様になり、組立ても間違いなく行うことができ、品質の向上を推進することができる。そして、設置現場において容易に速調の運転モードの設定が間違いなく行うことが可能になる。
【００１８】
実施の形態２．
図３によって示す本実施の形態は、実施の形態１で示した熱交換換気装置の中継コネクタに関するものであり、これに係る構成以外は実施の形態１のものと同じである。従って、実施の形態１のものと同じ部分については実施の形態１のものと同じ符号を用いそれらについての説明は省略する。
【００１９】
本実施の形態の熱交換換気装置においては、給気送風機３と排気送風機５のそれぞれの駆動モータ１８，１９は、おのおの三本からなる速調を選択できる線を持っている。これらは、共通のＣＯＭ、強のＨ、弱のＬからなり、それぞれ中継コネクタ２０Ａ，２１Ａに接続されている。これらの中継コネクタ２０Ａ，２１Ａは、６Ｐ、８Ｐ（６っもしくは８っの結線が物理的に可能なもの）で構成されている雌端子である。具体的には中継コネクタ２０Ａ，２１Ａの一方向（下）から、それぞれ強のＨ、弱のＬ、共通のＣＯＭであり、残りは空白である。
【００２０】
外部とのインターフェース部１３には共通、強及び弱の切換え構造があり、インターフェース部１３の強と組合せた各四線のインターフェース部１３側の雄端子の中継コネクタ２５，２６が二個ある。インターフェース部１３側の６Ｐの中継コネクタ２５の一方向（下）から空白、切換えスイッチ１５が入りになれば通電する線、共通のＣＯＭと切換えスイッチ１５により強と接続されるリレー１６のリレー接点２、最後は空白、と接続される。また、インターフェース部１３側の８Ｐの中継コネクタ２６の一方向（下）から空白、切換えスイッチ１５が入りになれば通電する線、共通のＣＯＭと切換えスイッチ１５により強と接続されるリレー１６のリレー接点３、切換えスイッチ１５により強と接続されるリレー１６のリレー接点１、最後の三つは空白、と接続される。
【００２１】
中継リードコネクタ２７は、６Ｐの雌側中継コネクタ２８と６Ｐの雄側中継コネクタ２９とこれを結ぶ三本の電源線から一つが構成され、他の一つは８Ｐの雌側中継コネクタ３０と８Ｐの雄側中継コネクタ３１とこれを結ぶ三本の電源線から構成されている。具体的には６Ｐの雌側中継コネクタ２８の下から一番目と雄側中継コネクタ２９の下から四番目、及び６Ｐの雌側中継コネクタ２８の下から二番目と雄側中継コネクタ２９の下から五番目、雌側中継コルクタ２８の下から三番目、とが結線されるものである。また、８Ｐの雌側中継コネクタ３０の下から一番目と８Ｐの雄側中継コネクタ３１の下から四番目、及び８Ｐの雌側中継コネクタ３０の下から二番目と８Ｐの雄側中継コネクタ３１の下から五番目、８Ｐの雌側中継コネクタ３０の下から三番目と８Ｐの雄側コネクタ３１の下から三番目、とが結線されるものである。
【００２２】
例えば、図３に示すように給気送風機３の駆動モータ１８の６Ｐの中継コネクタ２０Ａと中継リードコネクタ２７の６Ｐの雄側中継コネクタ２９とを接続し、中継リードコネクタ２７の６Ｐの雌側中継コネクタ２８とインターフェース部１３側の６Ｐの中継コネクタ２５の一方とをコネクタ接続する。また、排気送風機５の駆動モータ１９の８Ｐの中継コネクタ２１Ａと中継リードコネクタ２７の８Ｐの雄側中継コネクタ３０とを接続し、中継リードコネクタ２７の８Ｐの雌側中継コネクタ３１とインターフェース部１３側の８Ｐの中継コネクタ２６とをコネクタ接続する。
【００２３】
これにより、切換えスイッチ１５の強弱切換えに従って給気送風機３及び排気送風機５は強弱の速調運転を行う。そして例えば、６Ｐの中継リードコネクタ２７を外し、６Ｐの中継コネクタ２０Ａ，２５同士をコネクタ接続すれば、給気送風機３のみは、切換えスイッチ１５の強弱切換えを行っても弱の固定運転となる。なお、排気送風機５については切換えスイッチ１５による切換え操作に従うことになる。つまり、中継リードコネクタ２７を挿入した送風機は、切換えスイッチ１５に従って強弱運転を行い、中継リードコネクタ２７を使用しない送風機については切換えスイッチ１５に従わず弱の固定運転を行うことになる。この構成を採ることにより、予め用意された中継リードコネクタ２７を外し、差換えるだけで給気送風機３又は排気送風機５の速調を強又は弱に固定することができ、給気送風機３側と排気送風機５側の中継リードコネクタ２７をとり間違えることなく施工現場で速調モードの設定を行うことができる。これ以外の構成及び機能は実施の形態１のものと同じである。
【００２４】
実施の形態３．
図４によって示す本実施の形態は、実施の形態１で示した熱交換換気装置の中継コネクタに関するものであり、これに係る構成以外は実施の形態１のものと同じである。従って、実施の形態１のものと同じ部分については実施の形態１のものと同じ符号を用いそれらについての説明は省略する。
【００２５】
本実施の形態の熱交換換気装置においては、給気送風機３と排気送風機５のそれぞれの駆動モータ１８，１９は、おのおの三本からなる速調を選択できる線を持っている。これらは、共通のＣＯＭ、強のＨ、弱のＬからなり、それぞれ中継コネクタ２１，３２に接続されている。これらの中継コネクタ３２，２１は、３Ｐ、４Ｐ（３っもしくは４っの結線が物理的に可能なもの）で構成されている雌端子である。具体的には中継コネクタ３２の一方向（下）から、それぞれ強のＨ、弱のＬ、共通のＣＯＭである。中継コネクタ２１については実施の形態１のものと同じである。
【００２６】
外部とのインターフェース部１３には、共通、強及び弱の切換え構造があり、インターフェース部１３からは、給気用と排気用として、各々二個ずつ（合計四つ）の中継コネクタ３３〜３６が設けられている。これらの中継コネクタ３３，３４は、それぞれ３Ｐの中継コネクタ３２とコネクタ接続が可能である。また、中継コネクタ３５，３６は、それぞれ４Ｐの中継コネクタ２１とコネクタ接続が可能である。インターフェース部１３側の３Ｐの中継コネクタ３３の一方向（下）から空白、切換えスイッチ１５が入りになれば通電する線、共通のＣＯＭと接続される。インターフェイス部１３側の３Ｐの中継コネクタ３４の一方向（下）から切換えスイッチ１５の強と接続されるリレー１６のリレー接点４、切換えスイッチ１５により弱と接続されるリレー１６のリレー接点２、共通のＣＯＭ、に接続される。
【００２７】
また、インターフェース部１３側の４Ｐの中継コネクタ３５の一方向（下）から空白、空白、切換えスイッチ１５が入りになれば通電する線、共通のＣＯＭと接続される。インターフェース部１３側の４Ｐの中継コネクタ３６の一方向（下）から、空白、切換えスイッチ１５により強と接続されるリレー１６のリレー接点３、切換えスイッチ１５により弱と接続されるリレー１６のリレー接点１、共通のＣＯＭ、に接続される。
【００２８】
例えば、図４に示すように給気送風機３の駆動モータ１８の３Ｐの中継コネクタ３２と、３Ｐの中継コネクタ３３とを接続し、排気送風機５の駆動モータ１９の４Ｐの中継コネクタ２１とインターフェース部１３側の４Ｐの中継コネクタ３５とをコネクタ接続する。これにより、給気送風機３と排気送風機５は共に切換えスイッチ１５の切換え操作にかかわらず弱の固定運転を行う。
【００２９】
また、給気送風機３の駆動モータ１８の３Ｐの中継コネクタ３２と３Ｐの中継コネクタ３４とを接続し、排気送風機５の駆動モータ１９の４Ｐの中継コネクタ２１とインターフェース部１３側の４Ｐの中継コネクタ３６とをコネクタ接続する。これにより、給気送風機３と排気送風機５は、切換えスイッチ１５の強弱切換えに従って強弱の切換え運転を行う。排気送風機５について切換えスイッチ１５の切換え操作に従って強弱切換えできるようにすることも可能であり、切換えスイッチ１５との兼合いで多様な強弱運転のバリエーションを採ることができる。この構成を採用することにより、追加部品なしに強弱選択運転及び弱の固定運転の設定を、施工現場で部品の紛失等を伴なうことなく容易に行うことができる。これ以外の機能は実施の形態１，２のものと同じである。
【００３０】
【発明の効果】
本発明によれば、製造における組立てが容易で、一つの製品で速調の固定運転が可能な、設置現場でも間違いなく対応できる給排気による換気を行う換気装置が得られる。
【図面の簡単な説明】
【図１】実施の形態１の熱交換換気装置の平面図である。
【図２】実施の形態１の熱交換換気装置の電気的構成を示すブロック構成図である。
【図３】実施の形態２の熱交換換気装置の電気的構成を示すブロック構成図である。
【図４】実施の形態３の熱交換換気装置の電気的構成を示すブロック構成図である。
【符号の説明】
１  熱交換器、  ３  給気送風機、  ５  排気送風機、  １４  中継コネクタ、  １５  切換えスイッチ、  １７  商用電源、  １８，１９  駆動モータ、  ２０，２１  中継コネクタ、  ２２  中継リードコネクタ、  ２０Ａ，２１Ａ  中継コネクタ、  ２７  中継リードコネクタ、  ３２，３３，３４，３５，３６中継コネクタ。
【図１】
2004257630.tif 000003
【図２】
2004257630.tif 000004
【図３】
2004257630.tif 000005
【図４】
2004257630.tif 000006